(57)【特許請求の範囲】
【請求項１】
冷凍機のエバポレータに室内の空気を接触させて冷却する冷凍冷蔵室において、少なくとも上記エバポレータを収容するハウジングと、該ハウジングの入口及び出口に設けられ上記冷凍機の作動時に開き非作動時に閉じるダンパと、上記ハウジング内に設けられ所定濃度のオゾンを発生するオゾン発生器と、上記冷凍機の非作動時且つ上記ダンパを閉じて上記ハウジングを閉塞させたときにのみ上記オゾン発生器を作動させる制御手段とを備えたことを特徴とする冷凍冷蔵室の脱臭装置。
【発明の詳細な説明】
【０００１】
【発明の属する技術分野】
本発明は、冷凍機を備えた冷凍冷蔵室の脱臭装置に関するものである。
【０００２】
【従来の技術】
近来にあっては、食品保管庫や冷蔵・冷凍運搬用のコンテナの内部を脱臭殺菌するためのものとして、オゾンを発生させるオゾン発生器を備えた脱臭装置が提案されている。このオゾンによる脱臭殺菌は、従来の塩素等の薬剤や空気清浄器などよりも効率よく行い得るものである。そしてこの種の脱臭装置においては、冷凍冷蔵室内にオゾンセンサを設けて、オゾン濃度を保管物或いは人体に無害となる濃度に制御するようにしていた。
【０００３】
【発明が解決しようとする課題】
しかしながらこのように濃度制御される脱臭装置では、オゾン濃度が例えば安全な0.1ppm以下に維持されると、期待される脱臭殺菌効果が得られないという問題があった。従って有効な脱臭殺菌作用を得ようとすれば長時間の処理が必要となり、特に使用時間に限りがあるコンテナ等においては現実的でない。また特開平３−１４６１１３号公報には、高濃度オゾンにより処理した後、室内を開放するときまでにオゾンを処理装置によって取り除くことが開示されているが、この場合はオゾンが高濃度であるが故に、保管物である食品などへの悪影響が懸念される。
【０００４】
【課題を解決するための手段】
前記課題を解決すべく本発明は、冷凍機のエバポレータに室内の空気を接触させて冷却する冷凍冷蔵室において、少なくともエバポレータを収容するハウジングと、ハウジングの入口及び出口に設けられ冷凍機の作動時に開き非作動時に閉じるダンパと、ハウジング内に設けられ所定濃度のオゾンを発生するオゾン発生器と、冷凍機の非作動時且つダンパを閉じてハウジングを閉塞させたときにのみオゾン発生器を作動させる制御手段とを備えたものである。この構成によって、臭気成分が凝集付着しているエバポレータに対してオゾンを集中的に作用させることができ、室内の脱臭を効率よく行うことができる。しかもオゾンは閉塞されたハウジング内に供給されるので、室内の保管物に対して悪影響を及ぼすことがない。また冷凍機の非作動中はエバポレータの温度も上がっているので、オゾンとの反応性が良好であり、脱臭効率をさらに向上できる。
【０００５】
【発明の実施の形態】
以下、本発明の実施の形態を添付図面に従って説明する。
【０００６】
図１は、本発明にかかわる冷凍冷蔵室の脱臭装置をトラックの冷蔵・冷凍運搬用のコンテナ１に適用した場合を示したものである。コンテナ１は、断熱性を有した壁体２により直方体状に区画されて成り、一側に荷物の積下しを行うための扉（図示せず）が備えられている。このコンテナ１の天井２ａと後面２ｂとの隅には、ハウジング３に収容された冷凍機４のユニットが設けられている。冷凍機４は、圧縮機及び凝縮器（図示せず）を備え、圧縮された高温高圧の冷媒を放熱させた後、液化した冷媒を膨張させてエバポレータ（蒸発器）５で周囲の空気から吸熱するものである。冷凍機４の運転は、コンテナ１内の温度を一定に保つように、定期的に又は温度センサ等の検出に基づいて、作動・非作動を繰り返すようになっている。エバポレータ５は冷媒を通す放熱用のパイプで成り、ハウジングの略中央において上下方向に略ハウジング縦幅一杯に延びて、コンテナ長手方向（前後方向）に重なるように配列されている。エバポレータ５の前面側にはファン６が設けられ、空気をパイプ横断の方向Ａに送風するようになっている。ハウジング３の下面のユニット後面２ｂ側及び前面には、空気の入口７及び出口８がそれぞれ設けられ、ファン６による圧送で、ユニット後面２ｂに沿うように上昇（Ｂ）してくる空気をハウジング３内に取り入れ、エバポレータ５を通過した冷気を前方（Ａ）に出すようになっている。
【０００７】
ハウジング３の入口７及び出口８には、ハウジング３を適宜開閉させるためのダンパ９，１０が設けられている。ダンパ９，１０は、所定の間隔を以て並設された複数のヒンジ１１と、これらヒンジ１１にそれぞれ支持された開閉板１２とで成る。開閉板１２は、その自由端が隣接するヒンジ１１又はハウジング開口縁に係合する大きさで形成され、空気流動方向（Ａ，Ｂ）に揺動自在となっている。そして冷凍機４の作動時には開閉板１２が風圧によって開いてハウジング３内とコンテナ１内とを連通させ、非作動時にはバネなどの付勢力で入口７及び出口８を閉じてハウジング３内を閉塞するようになっている。
【０００８】
そしてハウジング３内に、所定濃度のオゾンを発生するオゾン発生器１３が設けられている。オゾン発生器１３のユニットは、入口側のダンパ９が形成する開口に略相当する大きさの直方体形状で成り、その一端が後面２ｂの壁体に取り付けられて水平に保持され、ユニット下面１３ａが入口７に対向するように配置されている。オゾン発生器１３は放電電極（図示せず）に高電圧高周波を印加させることでオゾンを発生するようになっており、制御手段たるコントローラ１４によって作動が制御される。コントローラ１４は、運転者のスイッチ操作等により起動してこの脱臭システムを実行するものであり、オゾン発生器１３を冷凍機４の非作動時にのみ作動させるようになっている。すなわち冷凍機４が作動するときの信号であるファンＯＮ信号、及び非作動時のファンＯＦＦ信号を入力して、この信号によりオゾン発生器１３をＯＮ・ＯＦＦ制御するようになっている。なおダンパ９，１０が電動式である場合は、図１（ｂ）に示したように、コントローラ１４が冷凍機ＯＮ・ＯＦＦの信号により開閉動作させる。
【０００９】
またコンテナ１の天井２ａにはオゾン濃度センサ（濃度計）１５が設けられ、万が一、コンテナ１内が人体及び保管物に有害なオゾン濃度になったなら、その検知信号をコントローラ１４に入力するようになっている。コントローラ１４はこの検知信号により、警報器１６及び扉ロック手段１７で成る安全装置を動作させる。警報器１６は、トラックの運転席などに設けられ、ランプの点滅或いはブザー音等にて運転者に知らせるようになっている。扉ロック手段１７は、コンテナ１の扉に設けられ、扉を閉じた状態に固定するようになっている。なおハウジング３内にもオゾン濃度センサを設けて、消臭殺菌に効果的なオゾン濃度が維持されるようにオゾン発生器１３をフィードバック制御するようにしてもよい。
【００１０】
この脱臭装置により脱臭システムを実行するに際しては、図２に示すように、オゾン濃度センサ１５をＯＮとして、コンテナ１内のオゾン濃度を検出する状態にした後、冷凍機４が作動中か否かを判断する。冷凍機４が作動中で、ファン６が回転しダンパ９，１０が開となっていれば、そのファンＯＮの信号によりコントローラ１４はオゾン発生器１３をＯＦＦとする。なお冷凍機４は、圧縮機が作動しファン６は停止した状態となる場合もあるので、ファン動作信号に代えて、例えば圧縮機のＯＮ・ＯＦＦ信号によってオゾン発生器１３を制御するようにしてもよい。冷凍機４が非作動であれば、ファン６がＯＦＦ及びダンパ９，１０が閉となっているので、このファンＯＦＦの信号により、オゾン発生器１３の電極に高電圧高周波を印加して、消臭に有効な所定濃度のオゾンを発生させる。このオゾンにより、ダンパ９，１０が閉じていることにより略密閉された空間となっているハウジング１内の臭気成分、特にエバポレータ５に凝集付着した臭気成分を効率よく酸化・分解して除去する。またオゾン濃度センサ１５による検出値が、コンテナ１内のオゾン濃度が人体又は荷物の安全性を損なうような許容値以上のものになると、その検出信号によりコントローラ１４が警報器１６及び扉ロック手段１７を作動させ、運転者に注意を促すと共に、コンテナ１の扉が開かない状態とする。なおこのときオゾン発生器１３を自動的に停止させるようにしてもよい。またこのオゾン濃度点検は、脱臭システムＯＮであれば、冷凍機作動中（オゾン発生器ＯＦＦ）であっても行う。
【００１１】
このように、冷凍機４のハウジング３内にオゾン発生器１３を設けたので、コンテナ１内の空気が必ず通過するように配置され臭気成分が溜まりやすいエバポレータ５を、集中的に脱臭・殺菌することができ、コンテナ１内の臭気を効率よく除去することができる。また冷凍機４とオゾン発生器１３とを同期させて、ダンパ９，１０が閉じているときにオゾン発生器１３を作動させるので、高濃度のオゾンがコンテナ１内に流出することがなく、食品などの荷物に悪影響を及ぼすことがない。従って荷物を積んだ状態での配送中の脱臭が可能となり、配送後のコンテナ１内の洗浄作業時間が短縮されて、労力軽減・作業効率向上が達成される。そして本発明は、エバポレータ５に付着した臭気成分の分解除去を、極めて有効に行うことができるものである。ここに従来の技術として、ケーシング内にオゾン発生器を設けて、その開閉により安全性を確保する構成（実開平４−１３４４２３号公報）もあるが、本発明ではさらに冷凍機４の特性を利用している。すなわち冷凍機４の作動中にはエバポレータ５が低温になっているので、エバポレータ５における臭気成分の吸着が維持される傾向にあるが、非作動の状態ではエバポレータ５の温度が上昇するので、オゾンとの反応性が高まり、短時間で臭気成分を分解除去できるものである。従って、オゾン発生器１３の運転の消費電力を少なくすることができ、省エネルギー及びランニングコスト削減に貢献できる。このほかこの実施の形態では、コンテナ１内にオゾン濃度センサ１５を設けて、万一コンテナ１内のオゾン濃度が許容値を越えたなら安全装置が作動するようにしたので、荷物及び作業者、或いは周辺環境の安全性が確保される。
【００１２】
なお上記実施の形態ではファンＯＮ・ＯＦＦの信号によりオゾン発生器１３を制御するようにしたが、ダンパ９，１０の開閉を検知してオゾン発生器１３を制御するようにしてもよい。さらにこの実施の形態では、冷凍冷蔵室としてトラックの冷蔵・冷凍運搬用のコンテナを示したが、本発明はその規模や用途を問わず、冷凍機を備えた冷凍冷蔵室に広く適用できるものである。
【００１３】
【発明の効果】
以上要するに本発明によれば、臭気成分が凝集付着しているエバポレータに対してオゾンを集中的に作用させることができ、室内の臭気を効率よく除去することができる。しかもオゾンは閉塞されたハウジング内に供給されるので、保管物や人体への悪影響を未然に防ぐことができる。そして冷凍機の非作動の状態ではエバポレータの温度が上昇するので、オゾンとの反応性が高まり、短時間で臭気成分を分解除去でき、省エネルギー及びランニングコスト削減に貢献できる。
【図面の簡単な説明】
【図１】本発明にかかわる冷凍冷蔵室の脱臭装置実施の形態を示した図であり、（ａ）は要部側面図、（ｂ）はブロック図である。
【図２】図１の作用を説明するためのフローチャートである。
【符号の説明】
１  コンテナ（冷凍冷蔵室）
３  ハウジング
４  冷凍機
５  エバポレータ
９，１０  ダンパ
１３  オゾン発生器
１４  コントローラ（制御手段）
【図１】
0003738498.tif 000002
【図２】
0003738498.tif 000003